(57)【要約】【課題】液晶バリアの応答時間を短くすることができる表示装置を得る。【解決手段】表示部と、開状態と閉状態とを切り換え可能な複数の液晶バリアを含むバリア部と、１または複数のバリア駆動信号ＤＲＶにより、バリア部を駆動するバリア駆動部とを備える。上記バリア駆動信号は、複数フレームにわたって、液晶バリアを開状態に保持するための一連の波形からなる第１の波形部分、または液晶バリアの開閉を切り換えるための一連の波形からなる第２の波形部分（開閉駆動波形部分Ｗｏｃ）と、第１の波形部分または第２の波形部分の直前に位置し、第１の波形部分または第２の波形部分の波高値の最大値よりも小さい平均波高値を有する第３の波形部分（準備駆動波形部分Ｗpre）とを含む信号である。【選択図】図７
2012242673.tif 000002
【特許請求の範囲】
【請求項１】
表示部と、
開状態と閉状態とを切り換え可能な複数の液晶バリアを含むバリア部と、
１または複数のバリア駆動信号により、前記バリア部を駆動するバリア駆動部と
を備え、
前記バリア駆動信号は、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分または前記第２の波形部分の直前に位置し、前記第１の波形部分または前記第２の波形部分の波高値の最大値よりも小さい平均波高値を有する第３の波形部分と
を含む信号である
表示装置。
【請求項２】
３次元映像表示モードおよび２次元映像表示モードを含む複数の表示モードを有し、
前記バリア部は、複数の第１系列の液晶バリアと複数の第２系列の液晶バリアを有し、
前記バリア駆動部は、
前記２次元映像表示モードでは、前記第２系列の液晶バリアに前記第１の波形部分を供給し、
前記３次元映像表示モードでは、前記第２系列の液晶バリアに直流電圧を供給する
請求項１に記載の表示装置。
【請求項３】
前記３次元映像表示モードから前記２次元映像表示モードへのモード切り換えの直前に、前記２系列の液晶バリアに前記第３の波形部分を供給する
請求項２に記載の表示装置。
【請求項４】
前記バリア駆動部は、前記２次元映像表示モードでの起動時に、前記第２系列の液晶バリアに前記第３の波形部分を供給する
請求項２に記載の表示装置。
【請求項５】
前記複数の第１系列の液晶バリアは、複数のバリアグループにグループ分けされ、
前記バリア駆動部は、
前記２次元映像表示モードでは、前記第１系列の液晶バリアに前記第１の波形部分を供給し、
前記３次元映像表示モードでは、前記第１系列の液晶バリアに、グループ間で互いに位相がずれた前記第２の波形部分を供給する
請求項２に記載の表示装置。
【請求項６】
前記バリア駆動部は、前記２次元映像表示モードおよび前記３次元映像表示モードでは、前記第１系列の液晶バリアに前記第１の波形部分を供給する
請求項２に記載の表示装置。
【請求項７】
前記バリア駆動部は、起動時に、前記第１系列の液晶バリアに前記第３の波形部分を供給する
請求項５に記載の表示装置。
【請求項８】
前記第３の波形部分は、前記直流電圧と異なる電圧を有する直流波形である
請求項２に記載の表示装置。
【請求項９】
前記第３の波形部分は、パルス波形である
請求項２に記載の表示装置。
【請求項１０】
前記第３の波形部分は、前記第１の波形部分もしくは前記第２の波形部分の波高値の最大値と等しい最大波高値を有する
請求項９に記載の表示装置。
【請求項１１】
前記第３の波形部分は、極性が交番する波形である
請求項２に記載の表示装置。
【請求項１２】
前記第３の波形部分は、正電圧となる時間と負電圧となる時間とが互いに等しい
請求項１１に記載の表示装置。
【請求項１３】
前記バリア駆動部は、前記第３の波形部分を前記液晶バリアに印加する際、前回に印加した前記第３の波形部分を反転して印加する
請求項２に記載の表示装置。
【請求項１４】
各液晶バリアは、第１の方向に延在するように形成され、液晶層と、前記第１の方向に並設された複数のサブ電極を含み、
各サブ電極は、
前記第１の方向に延伸する第１の幹部分と、
前記第１の幹部分と交差する方向に延伸する第２の幹部分と、
前記第１の幹部分および前記第２の幹部分の両方から遠ざかる方向に延伸する複数の枝部分と
を有し、
前記複数の枝部分は、
前記第１の幹部分の片側において、前記第２の幹部分を挟んで配置された第１の枝領域および第２の枝領域と、
前記第１の幹部分に対して、前記第１の枝領域の反対側に配置された第３の枝領域と、
前記第１の幹部分に対して、前記第２の枝領域の反対側に配置された第４の枝領域
の各領域内において、同じ方向に延伸している
請求項１に記載の表示装置。
【請求項１５】
前記液晶層の一方の側に設けられ、前記表示部の表示面内における垂直方向および水平方向のうちの一方の方向に偏光した光を通過させる第１の偏光板と、
前記液晶層の、前記第１の偏光板が設けられた側とは反対側に設けられ、前記垂直方向および前記水平方向のうちの他方の方向に偏光した光を通過させる第２の偏光板と
をさらに備え、
前記第１の枝領域における枝部分および前記第４の枝領域における枝部分は、前記水平方向から反時計まわりに４５度傾いた方向に延伸し、
前記第２の枝領域における枝部分および前記第３の枝領域における枝部分は、前記水平方向から時計まわりに４５度傾いた方向に延伸している
請求項１４に記載の表示装置。
【請求項１６】
前記バリア部は、
前記液晶層を挟んで前記サブ電極の反対側に、前記複数の液晶バリアに対応する領域にわたり共通に形成された共通電極を有する
請求項１４に記載の表示装置。
【請求項１７】
前記表示部は液晶表示部であり、
バックライトをさらに備え、
前記液晶表示部は、前記バックライトと前記バリア部との間に配置されている
請求項１に記載の表示装置。
【請求項１８】
前記表示部は液晶表示部であり、
バックライトをさらに備え、
前記バリア部は、前記バックライトと前記液晶表示部との間に配置されている
請求項１に記載の表示装置。
【請求項１９】
開状態と閉状態とを切り換え可能な複数の液晶バリアを含むバリア部と、
１または複数のバリア駆動信号により、前記バリア部を駆動するバリア駆動部と
を備え、
前記バリア駆動信号は、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分または前記第２の波形部分の直前に位置し、前記第１の波形部分または前記第２の波形部分の波高値の最大値よりも小さい平均波高値を有する第３の波形部分と
を含む信号である
バリア装置。
【請求項２０】
開状態と閉状態とを切り換え可能な複数の液晶バリアに対して、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分もしくは前記第２の波形部分の直前に位置し、前記第１の波形部分もしくは前記第２の波形部分の波高値の最大値よりも小さい平均波高値を有する第３の波形部分と
を含む、１または複数のバリア駆動信号を供給し、
表示部に映像を表示する
表示装置の駆動方法。
【発明の詳細な説明】
【技術分野】
【０００１】
本開示は、立体視表示が可能なパララックスバリア方式の表示装置、およびそのような表示装置に用いられるバリア装置、ならびに表示装置の駆動方法に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。このような表示装置の一つに、視差バリア（パララックスバリア）方式の表示装置がある。この表示装置は、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【０００３】
ところで、液晶表示装置（ＬＣＤ：Liquid Crystal Display）では、例えばＶＡ（Vertical Alignment）モードの液晶がしばしば用いられている。このような液晶表示装置では、液晶分子は、電圧無印加時（オフ状態）にはその長軸方向が基板面に対して垂直な方向に沿った配向となるが、電圧印加時（オン状態）には、その電圧の大きさに応じて液晶分子が倒れた（傾いた）配向となる。よって、電圧無印加の状態において液晶層に電圧が印加され、基板面に垂直に配向していた液晶分子が倒れる際、その倒れる方向が任意であるため、液晶分子の配向が乱れるおそれがある。この場合、このような液晶表示装置では、電圧に対する応答が遅くなってしまう。
【０００４】
そこで、電圧応答時における液晶分子の倒れる方向を規制するために、予め液晶分子を特定の方向に傾けて配列させておく（いわゆるプレチルトを付与する）手法が利用されている。例えば、特許文献２，３には、画素電極に複数のスリットを設け、ポリマーにより液晶分子をプレチルト状態に保持するＰＳＡ（Polymer Sustained Alignment）方式が提案されている。このようなプレチルトを用いた手法によれば、液晶分子の電圧に対する応答特性を改善できる。
【先行技術文献】
【特許文献】
【０００５】
【特許文献１】特開２００９−１０４１０５号公報
【特許文献２】特開２００３−２７９９４６号公報
【特許文献３】特開２００６−３３０６３８号公報
【発明の概要】
【発明が解決しようとする課題】
【０００６】
ところで、液晶バリアを用いたパララックスバリア方式の表示装置では、液晶バリアを素早く開閉動作することが望まれている。
【０００７】
本開示はかかる問題点に鑑みてなされたもので、その目的は、液晶バリアの応答時間を短くすることができる表示装置、バリア装置、および表示装置の駆動方法を提供することにある。
【課題を解決するための手段】
【０００８】
本開示の表示装置は、表示部と、バリア部と、バリア駆動部とを備えている。バリア部は、開状態と閉状態とを切り換え可能な複数の液晶バリアを含むものである。バリア駆動部は、１または複数のバリア駆動信号により、バリア部を駆動するものである。上記バリア駆動信号は、複数フレームにわたって、液晶バリアを開状態に保持するための一連の波形からなる第１の波形部分、または液晶バリアの開閉を切り換えるための一連の波形からなる第２の波形部分と、第１の波形部分または第２の波形部分の直前に位置し、第１の波形部分または第２の波形部分の波高値の最大値よりも小さい平均波高値を有する第３の波形部分とを含む信号である。
【０００９】
本開示のバリア装置は、バリア部と、バリア駆動部とを備えている。バリア部は、開状態と閉状態とを切り換え可能な複数の液晶バリアを含むものである。バリア駆動部は、１または複数のバリア駆動信号により、バリア部を駆動するものである。上記バリア駆動信号は、複数フレームにわたって、液晶バリアを開状態に保持するための一連の波形からなる第１の波形部分、または液晶バリアの開閉を切り換えるための一連の波形からなる第２の波形部分と、第１の波形部分または第２の波形部分の直前に位置し、第１の波形部分または第２の波形部分の波高値の最大値よりも小さい平均波高値を有する第３の波形部分とを含む信号である。
【００１０】
本開示の表示装置の駆動方法は、開状態と閉状態とを切り換え可能な複数の液晶バリアに対して、複数フレームにわたって、液晶バリアを開状態に保持するための一連の波形からなる第１の波形部分、または液晶バリアの開閉を切り換えるための一連の波形からなる第２の波形部分と、第１の波形部分もしくは第２の波形部分の直前に位置し、第１の波形部分もしくは第２の波形部分の波高値の最大値よりも小さい平均波高値を有する第３の波形部分とを含む、１または複数のバリア駆動信号を供給し、表示部に映像を表示するものである。
【００１１】
本開示の表示装置および表示装置の駆動方法では、複数の液晶バリアを開状態にすることにより、表示部に表示された映像が観察者に視認される。その際、液晶バリアには、第１の波形部分もしくは第２の波形部分の直前に第３の波形部分を有するバリア駆動信号が供給される。
【発明の効果】
【００１２】
本開示の表示装置、バリア装置、および表示装置の駆動方法によれば、第１の波形部分もしくは第２の波形部分の直前に第３の波形部分を有するバリア駆動信号を用いるようにしたので、液晶バリアの応答時間を短くすることができる。
【図面の簡単な説明】
【００１３】
【図１】本開示の実施の形態に係る立体表示装置の一構成例を表すブロック図である。
【図２】図１に示した表示駆動部の一構成例を表すブロック図である。
【図３】図１に示した表示部の一構成例を表す説明図である。
【図４】図１に示したバリア部の一構成例を表す説明図である。
【図５】図１に示したバリア部における透明電極の一構成例を表す説明図である。
【図６】図１に示したバリア部における液晶分子の配向を表す説明図である。
【図７】図１に示したバリア駆動信号の波形図である。
【図８】図１に示した他のバリア駆動信号の波形図である。
【図９】図１に示した液晶バリアのグループ構成例を表す説明図である。
【図１０】図１に示した表示部およびバリア部の一動作例を表す模式図である。
【図１１】図１に示した立体表示装置の一動作例を表す模式図である。
【図１２】図１に示した立体表示装置の一動作例を表すタイミング波形図である。
【図１３】図１に示した立体表示装置の他の動作例を表すタイミング波形図である。
【図１４】図１に示した立体表示装置の他の動作例を表すタイミング波形図である。
【図１５】比較例に係る立体表示装置の一動作例を表すタイミング波形図である。
【図１６】実施の形態の変形例に係るバリア駆動信号の一波形例を表す波形図である。
【図１７】実施の形態の他の変形例に係るバリア駆動信号の一波形例を表す波形図である。
【図１８】実施の形態の他の変形例に係るバリア駆動信号の一波形例を表すタイミング波形図である。
【図１９】実施の形態の他の変形例に係る立体表示装置の一動作例を表すタイミング波形図である。
【図２０】実施の形態の他の変形例に係る立体表示装置の一動作例を表すタイミング波形図である。
【図２１】実施の形態の他の変形例に係る立体表示装置の一動作例を表す模式図である。
【図２２】実施の形態の他の変形例に係る立体表示装置の一動作例を表すタイミング波形図である。
【図２３】実施の形態の他の変形例に係る透明電極の一構成例を表す説明図である。
【図２４】実施の形態の他の変形例に係る立体表示装置の一構成例を表すブロック図である。
【図２５】実施の形態の他の変形例に係る立体表示装置の一動作例を表す模式図である。
【発明を実施するための形態】
【００１４】
以下、本開示の実施の形態について、図面を参照して詳細に説明する。
［構成例］
（全体構成例）
図１は、第１の実施の形態に係る立体表示装置の一構成例を表すものである。なお、本開示の実施の形態に係るバリア装置、および表示装置の駆動方法は、本実施の形態により具現化されるので、併せて説明する。立体表示装置１は、制御部４０と、バックライト駆動部４２と、バックライト３０と、表示駆動部５０と、表示部２０と、バリア駆動部４１と、バリア部１０とを備えている。
【００１５】
制御部４０は、外部より供給される映像信号Ｓdispに基づいて、バックライト駆動部４２、表示駆動部５０、およびバリア駆動部４１に対してそれぞれ制御信号を供給し、これらがお互いに同期して動作するように制御する回路である。具体的には、制御部４０は、バックライト駆動部４２に対してバックライト制御信号ＣＢＬを供給し、表示駆動部５０に対して映像信号Ｓdispに基づく映像信号Ｓを供給し、バリア駆動部４１に対してバリア制御信号ＣＢＲを供給するようになっている。ここで、映像信号Ｓは、後述するように、立体表示装置１が通常表示（２次元表示）を行う場合には、映像信号ＳＳから構成され、立体視表示を行う場合には、それぞれが複数（この例では４つ）の視点映像を含む映像信号ＳＡ，ＳＢから構成されるものである。
【００１６】
バックライト駆動部４２は、制御部４０から供給されるバックライト制御信号ＣＢＬに基づいてバックライト３０を駆動するものである。バックライト３０は、面発光した光を表示部２０に対して射出する機能を有している。バックライト３０は、例えば、ＬＥＤ（Light Emitting Diode）や、ＣＣＦＬ（Cold Cathode Fluorescent Lamp）などを用いて構成されるものである。
【００１７】
表示駆動部５０は、制御部４０から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００１８】
バリア駆動部４１は、制御部４０から供給されるバリア制御信号ＣＢＲに基づいてバリア駆動信号ＤＲＶを生成し、バリア部１０に供給するものである。バリア部１０は、バックライト３０から射出し表示部２０を透過した光を透過（開状態）または遮断（閉状態）する複数の液晶バリア１１，１２（後述）を有している。ここで、バリア駆動信号ＤＲＶは、後述するように、液晶バリア１１を駆動するためのバリア駆動信号ＤＲＶＳと、液晶バリア１２Ａ（後述）を駆動する為のバリア駆動信号ＤＲＶＡと、液晶バリア１２Ｂ（後述）を駆動するためのバリア駆動信号ＤＲＶＢを含むものである。
【００１９】
立体表示装置１では、図１に示したように、バックライト３０、表示部２０、およびバリア部１０が、この順に配置されている。つまり、バックライト３０から射出した光は、表示部２０およびバリア部１０を介して、観察者に届くようになっている。
【００２０】
（表示駆動部５０および表示部２０）
図２は、表示駆動部５０および表示部２０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓ１に基づく画素信号を供給するものである。
【００２１】
図３は、表示部２０の一構成例を表すものであり、（Ａ）は画素Ｐixの回路図の一例を示し、（Ｂ）は表示部２０の断面構成を示す。
【００２２】
画素Ｐixは、図３（Ａ）に示したように、ＴＦＴ（Thin Film Transistor）素子Ｔｒと、液晶素子ＬＣと、保持容量素子Ｃとを備えている。ＴＦＴ素子Ｔｒは、例えばＭＯＳ−ＦＥＴ（Metal Oxide Semiconductor-Field Effect Transistor）により構成されるものであり、ゲートがゲート線Ｇに接続され、ソースがデータ線Ｄに接続され、ドレインが液晶素子ＬＣの一端と保持容量素子Ｃの一端に接続されている。液晶素子ＬＣは、一端がＴＦＴ素子Ｔｒのドレインに接続され、他端は接地されている。保持容量素子Ｃは、一端がＴＦＴ素子Ｔｒのドレインに接続され、他端は保持容量線Ｃｓに接続されている。ゲート線Ｇはゲートドライバ５２に接続され、データ線Ｄはデータドライバ５３に接続されている。
【００２３】
表示部２０は、図３（Ｂ）に示したように、駆動基板２０１と対向基板２０５との間に、液晶層２０３を封止したものである。駆動基板２０１は、上記ＴＦＴ素子Ｔｒを含む画素駆動回路（図示せず）が形成されたものであり、この駆動基板２０１上には、画素Ｐｉｘ毎に画素電極２０２が配設されている。対向基板２０５には、図示しないカラーフィルタやブラックマトリクスが形成されており、更に液晶層２０３側の面には、対向電極２０４が各画素Ｐｉｘに共通の電極として配設されている。表示部２０の光入射側（ここでは、バックライト３０側）および光出射側（ここでは、バリア部１０側）には、偏光板２０６ａ，２０６ｂが、互いにクロスニコルまたはパラレルニコルとなるように貼り合わせられている。
【００２４】
（バリア部１０およびバリア駆動部４１）
図４は、バリア部１０の一構成例を表すものであり、（Ａ）はバリア部１０における液晶バリアの配置構成を示し、（Ｂ）は（Ａ）のバリア部１０のＩＶ−ＩＶ矢視方向の断面構成を示す。なお、この例では、バリア部１０はノーマリーブラック動作を行うものとする。つまり、バリア部１０は、駆動されていない状態では光を遮断するものとする。
【００２５】
バリア部１０は、いわゆるパララックスバリアであり、図４（Ａ）に示したように、光を透過または遮断する、交互に配置された複数の液晶バリア１１，１２を有している。これらの液晶バリア１１，１２は、立体表示装置１が通常表示（２次元表示）および立体視表示のどちらを行うかにより、異なる動作を行う。具体的には、液晶バリア１１は、後述するように、通常表示（２次元表示）の際には開状態（透過状態）になり、立体視表示を行う際には、閉状態（遮断状態）となるものである。液晶バリア１２は、後述するように、通常表示の際には開状態になり、立体視表示の際には、開状態と閉状態との間で時分割的に切り換わるように動作（開閉動作）するものである。
【００２６】
液晶バリア１１，１２は、ＸＹ平面における一方向（ここでは、例えば垂直方向Ｙから所定の角度θをなす方向）に延在して設けられている。角度θは、例えば１８度に設定可能である。このように、液晶バリア１１，１２を斜め方向に延伸するように形成することにより、表示画面にモアレが発生するおそれを低減するとともに、立体視表示における解像度の低減を抑えることができるようになっている。この例では、液晶バリア１１の幅Ｅ１と、液晶バリア１２の幅Ｅ２とは、互いに等しく（Ｅ１＝Ｅ２）なっている。但し、液晶バリア１１，１２の幅の大小関係はこれに限定されず、幅Ｅ１が幅Ｅ２よりも大きくてもよいし（Ｅ１＞Ｅ２）、小さくてもよい（Ｅ１＜Ｅ２）。なお、この幅Ｅ１，Ｅ２は、表示部２０における画素Ｐixの配列ピッチや、表示する視点映像の視点数などにより決定される。
【００２７】
バリア部１０は、図４（Ｂ）に示したように、駆動基板３１０と、対向基板３２０との間に液晶層１９を備えたものである。
【００２８】
駆動基板３１０は、透明基板１３と、透明電極層１５とを備えている。透明基板１３は、例えばガラス等から構成されるものである。そしてその上には、図示しない平坦化膜を介して透明電極層１５が形成されている。透明電極層１５は、例えばＩＴＯ（Indium Tin Oxide）等の透明導電膜により構成されている。そして透明電極層１５の上には、図示しない配向膜が形成されている。駆動基板３１０の、透明電極層１５などが形成された面とは反対の面には、偏光板１４が貼り付けられている。
【００２９】
対向基板３２０は、透明基板１６と、透明電極層１７とを備えている。透明基板１６は、透明基板１５と同様に、例えばガラス等から構成されるものである。この透明基板１５の上には、透明電極層１７が形成されている。この透明電極層１７は、透明電極層１５と同様に、例えばＩＴＯ等の透明導電膜により構成されている。そして、透明電極層１７の上には、図示しない配向膜が形成されている。対向基板３２０の、透明電極層１７などが形成された面とは反対の面には、偏光板１８が貼り付けられている。偏光板１４および偏光板１８は、互いにクロスニコルになるように貼り合わせられている。具体的には、例えば、偏光板１４は、その透過軸が水平方向Ｘに沿うように配置され、偏光板１８は、その透過軸が垂直方向Ｙに沿うように配置されている。
【００３０】
液晶層１９は、例えば、ＶＡ（垂直配向）型の液晶分子を含むものである。この液晶分子は、例えば長軸および短軸をそれぞれ中心軸として回転対称な形状をなし、負の誘電率異方性（長軸方向における誘電率が短軸方向よりも小さい性質）を示すものである。
【００３１】
透明電極層１５は、複数の透明電極１１０，１２０を有している。これらの透明電極１１０，１２０には、バリア駆動部４１によりバリア駆動信号ＤＲＶが印加される。透明電極層１７は、複数の透明電極１１０，１２０に対応する位置にわたって、いわゆる共通電極として設けられており、共通電圧Ｖcomが印加されている。この例では、共通電圧Ｖcomは０Ｖの直流電圧であるが、これに限定されるものではない。透明電極層１５の透明電極１１０と、液晶層１９および透明電極層１７におけるその透明電極１１０に対応する部分とは、液晶バリア１１を構成している。同様に、透明電極層１５の透明電極１２０と、液晶層１９および透明電極層１７におけるその透明電極１２０に対応する部分とは、液晶バリア１２を構成している。このような構成により、バリア部１０では、透明電極１１０，１２０に電圧を選択的に印加し、液晶層１９がその電圧に応じた液晶配向になることにより、液晶バリア１１，１２毎の開閉動作を行うことができるようになっている。
【００３２】
図５は、透明電極層１５における透明電極１１０，１２０の一構成例を表すものである。透明電極１１０，１２０は、それぞれ、液晶バリア１１，１２の延伸方向と同じ方向（垂直方向Ｙから所定の角度θをなす方向）に延伸する幹部分６１を有している。透明電極１１０，１２０には、それぞれ、幹部分６１の延伸方向に沿ってサブ電極領域７０が並設されている。各サブ電極領域７０は、幹部分６２と、枝部分６３とを有している。幹部分６２は、幹部分６１と交差する方向に延伸するように形成されており、この例では、水平方向Ｘから所定の角度θをなす方向に延伸している。各サブ電極領域７０には、幹部分６１および幹部分６２により区切られた４つの枝領域（ドメイン）７１〜７４が設けられている。
【００３３】
枝部分６３は、各枝領域７１〜７４において、幹部分６１，６２から延びるように形成されている。枝部分６３のライン幅は、各枝領域７１〜７４において互いに等しくなっており、同様にスリット幅も、これらの枝領域７１〜７４において互いに等しくなっている。枝部分６３は、枝領域７１〜７４のそれぞれにおいて同じ方向に延伸している。枝領域７１の枝部分６３の延伸方向と、枝領域７３の枝部分６３の延伸方向とは、垂直方向Ｙを軸として線対称になっており、同様に、枝領域７２の枝部分６３の延伸方向と、枝領域７４の枝部分６３の延伸方向とは、垂直方向Ｙを軸として線対称になっている。また、枝領域７１の枝部分６３の延伸方向と、枝領域７２の枝部分６３の延伸方向とは、水平方向Ｘを軸として線対称になっており、同様に、枝領域７３の枝部分６３の延伸方向と、枝領域７４の枝部分６３の延伸方向とは、水平方向Ｘを軸としては線対称になっている。この例では、具体的には、枝領域７１，７４の枝部分６３は、水平方向Ｘから反時計まわりに所定の角度φだけ回転させた方向に延伸しており、枝領域７２，７３の枝部分６３は、水平方向Ｘから時計まわりに所定の角度φだけ回転させた方向に延伸している。角度φは、例えば４５度が望ましい。
【００３４】
なお、この例では、上述したように、バリア部１０の偏光板１４，１８の透過軸を、水平方向Ｘおよび垂直方向Ｙに沿う方向にしたので、角度φは４５度が望ましいとしたが、例えば、バリア部１０の偏光板１４，１８の透過軸が水平方向Ｘおよび垂直方向Ｙから４５度の方向に沿う場合には、角度φは０，９０度が望ましい。このケースは、例えば、表示部２０がＴＮ（Twisted Nematic）液晶を用いた液晶表示装置である場合などに対応するものである。
【００３５】
図６は、液晶層１９における、電圧無印加時の液晶分子Ｍの配向を表すものである。液晶層１９では、配向膜との界面近傍の液晶分子Ｍの長軸方向が、配向膜からの規制により基板面に略垂直となるように配向しており、この界面近傍の液晶分子の配向に倣って他の液晶分子（例えば液晶層１９の厚み方向における中央付近の液晶分子）も同等の方向に配向している。
【００３６】
この構成により、透明電極１１０，１２０および透明電極層１７に電圧を印加して、液晶層１９の両側の電圧の電位差が大きくなると、液晶層１９における光の透過率が増大し、液晶バリア１１，１２は遮断状態（閉状態）から透過状態（開状態）へ変化する。その際、透明電極１１０，１２０の枝部分６３により、基板面と平行な方向の電界成分が生じ、電圧の印加に対して液晶分子Ｍが応答して倒れ、遮断状態から透過状態へ変化する。一方、その電位差が小さくなると、液晶分子Ｍの長軸方向が基板面の垂直方向に配向するようになり、液晶層１９における光の透過率が減少し、液晶バリア１１，１２は遮断状態（閉状態）となる。
【００３７】
図７は、液晶バリア１１，１２の動作例を表すものであり、（Ａ）はバリア駆動信号ＤＲＶの一波形例を示し、（Ｂ）は液晶バリア１１，１２における光の透過率Ｔを示す。この例では、液晶バリア１１，１２を、閉状態（遮断状態）から、開状態（透過状態）と閉状態（遮断状態）との間で時分割的に開閉動作する状態（開閉動作状態）に変化させる場合について示している。
【００３８】
液晶バリア１１，１２を閉状態から開閉動作状態に変化させる場合には、バリア駆動部４１は、図７（Ａ）に示したように、開閉駆動波形部分Ｗｏｃと、その直前に配置された準備駆動波形部分Ｗpreとからなるバリア駆動信号ＤＲＶを、液晶バリア１１，１２に対して供給する。
【００３９】
開閉駆動波形部分Ｗｏｃは、液晶バリア１１，１２を開状態と閉状態との間で繰り返し切り換えるための波形部分であり、この例では、−Ｖｏ，０Ｖ，Ｖｏ（Ｖｏは開駆動電圧）の間で遷移するパルス信号である。すなわち、開閉駆動波形部分Ｗｏｃは、液晶層１９においていわゆる焼き付きが生じるおそれを低減するために、０Ｖ（Ｖcom）を中心とした交流波形になっている。開駆動電圧Ｖｏは、液晶バリア１１，１２が開状態になるために必要な電圧であり、例えば７Ｖである。液晶バリア１１，１２に対して−Ｖｏ，Ｖｏが供給されたときには、液晶バリア１１，１２では、液晶層１９の両側の透明電極１５，１７の電位差の絶対値はＶｏとなり、液晶層１９の液晶分子Ｍがこの電圧の印加に応答して倒れる。これにより、液晶バリア１１，１２は、図７（Ｂ）に示したように、その光の透過率Ｔが上昇し開状態（透過状態）になる。一方、液晶バリア１１，１２に対して０Ｖが供給されたときには、液晶層１９の両側の透明電極１５，１７の電位差の絶対値が０Ｖとなり、液晶分子Ｍの長軸方向が基板面の垂直方向に配向するようになる。これにより、液晶バリア１１，１２は、図７（Ｂ）に示したように、その光の透過率Ｔが低下し閉状態（遮断状態）になる。
【００４０】
準備駆動波形部分Ｗpreは、液晶バリア１１，１２を開閉動作状態にする前段階として、その準備をするための波形部分であり、この例では、プレ電圧Ｖpreを有する直流波形である。ここで、プレ電圧Ｖpreは、開駆動電圧Ｖｏよりも低い電圧であり、例えば２Ｖである。この準備駆動波形部分Ｗpreが印加された液晶バリア１１，１２では、液晶層１９の両側の透明電極１５，１７の電位差の絶対値はＶpreとなる。このとき、液晶層１９における液晶分子Ｍの長軸方向は、基板面の垂直方向から傾いた方向に配向する。すなわち、各液晶分子の配向方向は、乱れることなく、所定の方位角の方向にほぼ揃った状態になる。なお、この状態でも、液晶バリア１１，１２における光の透過率Ｔは、十分に低くなっており、閉状態に近い状態になっている。そして、この準備駆動波形部分Ｗpreの後に開閉駆動波形部分Ｗｏｃが印加された際には、液晶分子Ｍは、短い時間で倒れることができる。
【００４１】
図８は、液晶バリア１１，１２の他の動作例を表すものであり、（Ａ）はバリア駆動信号ＤＲＶの他の波形例を示し、（Ｂ）は液晶バリア１１，１２における光の透過率Ｔを示す。この例では、液晶バリア１１，１２を、閉状態（遮断状態）から、開状態（透過状態）に変化させる場合について示している。
【００４２】
液晶バリア１１，１２を閉状態から開状態に変化させる場合には、バリア駆動部４１は、図８（Ａ）に示したように、開駆動波形部分Ｗｏと、その直前に配置された準備駆動波形部分Ｗpreとからなるバリア駆動信号ＤＲＶを、液晶バリア１１，１２に対して供給する。
【００４３】
開駆動波形部分Ｗｏは、液晶バリア１１，１２を開状態に維持するための波形部分であり、この例では、−ＶｏとＶｏ（Ｖｏは開駆動電圧）との間で遷移する交流波形のパルス信号である。液晶バリア１１，１２に対して−Ｖｏ，Ｖｏが供給されたときには、液晶バリア１１，１２では、液晶層１９の両側の透明電極１５，１７の電位差の絶対値はＶｏとなり、液晶層１９の液晶分子Ｍがこの電圧の印加に応答して倒れる。これにより、液晶バリア１１，１２は、図８（Ｂ）に示したように、その光の透過率Ｔが上昇し開状態（透過状態）になる。この開駆動波形部分Ｗｏの前に位置する準備駆動波形部分Ｗpreは、図７の場合と同様に、液晶バリア１１，１２を開閉動作状態にする前段階として、その準備をするための波形部分である。
【００４４】
このように、立体表示装置１では、準備駆動波形部分Ｗpreを設けることにより、その後の開状態への移行時間を短くすることができ、液晶バリア１１，１２の応答時間を短くすることができるようになっている。また、立体表示装置１では、準備駆動波形部分Ｗpreを設けることにより、液晶分子Ｍの配向方向（方位角）の乱れを低減することができるので、液晶バリア１１，１２が開状態になったときの透過率をより高くすることができる。
【００４５】
バリア部１０では、複数の液晶バリア１２はグループを構成し、同じグループに属する複数の液晶バリア１２は、立体視表示を行う際、同じタイミングで開動作および閉動作を行うようになっている。以下に、液晶バリア１２のグループについて説明する。
【００４６】
図９は、液晶バリア１２のグループ構成例を表すものである。液晶バリア１２は、この例では２つのグループを構成している。具体的には、並設された複数の液晶バリア１２が、交互にグループＡおよびグループＢを構成するようになっている。なお、以下では、グループＡに属する液晶バリア１２の総称として液晶バリア１２Ａを適宜用い、同様に、グループＢに属する液晶バリア１２の総称として液晶バリア１２Ｂを適宜用いるものとする。
【００４７】
立体視表示を行う際には、同じグループに属する複数の液晶バリア１２は、同じタイミングで開閉動作を行う。具体的には、グループＡに属する複数の液晶バリア１２（液晶バリア１２Ａ）と、グループＢに属する複数の液晶バリア（液晶バリア１２Ｂ）は、時分割的に交互に開状態（透過状態）になるように開閉動作を行う。その際、液晶バリア１１は閉状態（遮断状態）となる。また、通常表示（２次元表示）を行う際には、液晶バリア１１，１２（１２Ａ，１２Ｂ）の全てが開状態となる。
【００４８】
図１０は、立体視表示および通常表示（２次元表示）を行う場合のバリア部１０の状態を、断面構造を用いて模式的に表すものであり、（Ａ）は立体視表示を行う一状態を示し、（Ｂ）は立体視表示を行う他の状態を示し、（Ｃ）は通常表示を行う状態を示す。この例では、液晶バリア１２Ａは、表示部２０の４つの画素Ｐixに１つの割合で設けられている。同様に、液晶バリア１２Ｂは、表示部２０の４つの画素Ｐixに１つの割合で設けられている。以下の説明では、画素Ｐixは、３つのサブピクセル（ＲＧＢ）から構成されたピクセルとするが、これに限定されるものではなく、例えば、画素Ｐixがサブピクセルであってもよい。また、バリア部１０において、光が遮断される部分は斜線で示している。
【００４９】
立体視表示を行う場合には、表示駆動部５０に映像信号ＳＡ，ＳＢが交互に供給され、表示部２０はそれらに基づいて表示を行う。そして、バリア部１０では、液晶バリア１２（液晶バリア１２Ａ，１２Ｂ）が時分割的に開閉動作を行い、液晶バリア１１が閉状態（遮断状態）を維持する。具体的には、映像信号ＳＡが供給された場合には、図１０（Ａ）に示したように、液晶バリア１２Ａが開状態になるとともに、液晶バリア１２Ｂが閉状態になる。表示部２０では、後述するように、この液晶バリア１２Ａに対応した位置に配置された互いに隣接する４つの画素Ｐixが、映像信号ＳＡに含まれる４つの視点映像に対応する表示を行う。これにより、観察者は、後述するように、例えば左眼と右眼とで異なる視点映像を見ることにより、表示された映像を立体的な映像として感じるようになっている。同様に、映像信号ＳＢが供給された場合には、図１０（Ｂ）に示したように、液晶バリア１２Ｂが開状態になるとともに、液晶バリア１２Ａが閉状態になる。表示部２０では、後述するように、この液晶バリア１２Ｂに対応した位置に配置された互いに隣接する４つの画素Ｐixが、映像信号ＳＢに含まれる４つの視点映像に対応する表示を行う。これにより、観察者は、後述するように、例えば左眼と右眼とで異なる視点映像を見ることにより、表示された映像を立体的な映像として感じるようになっている。立体表示装置１では、このように、液晶バリア１２Ａと液晶バリア１２Ｂを交互に開放して映像を表示することにより、後述するように、表示装置の解像度を高めることができるようになっている。
【００５０】
一方、通常表示（２次元表示）を行う場合には、バリア部１０では、図１０（Ｃ）に示したように、液晶バリア１１および液晶バリア１２（液晶バリア１２Ａ，１２Ｂ）はともに開状態（透過状態）を維持するようになっている。これにより、観察者は、映像信号ＳＳに基づいて表示部２０に表示された通常の２次元映像をそのまま見ることができる。
【００５１】
ここで、開駆動波形部分Ｗｏは、本開示における「第１の波形部分」の一具体例に対応する。開閉駆動波形部分Ｗｏｃは、本開示における「第２の波形部分」の一具体例に対応する。準備駆動波形部分Ｗpreは、本開示における「第３の波形部分」の一具体例に対応する。液晶バリア１２（１２Ａ，１２Ｂ）は、本開示における「第１系列の液晶バリア」の一具体例に対応し、液晶バリア１１は、本開示における「第２系列の液晶バリア」の一具体例に対応する。幹部分６１は、本開示における「第１の幹部分」の一具体例に対応し、幹部分６２は、本開示における「第２の幹部分」の一具体例に対応する。枝領域７１は、本開示における「第１の枝領域」の一具体例に対応し、枝領域７２は、本開示における「第２の枝領域」の一具体例に対応し、枝領域７３は、本開示における「第３の枝領域」の一具体例に対応し、枝領域７４は、本開示における「第４の枝領域」の一具体例に対応する
【００５２】
［動作および作用］
続いて、本実施の形態の立体表示装置１の動作および作用について説明する。
【００５３】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４１に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４１は、制御部４０から供給されるバリア制御命令ＣＢＲに基づいてバリア駆動信号ＤＲＶを生成し、バリア部１０に供給する。バリア部１０の液晶バリア１１，１２（１２Ａ，１２Ｂ）は、バリア制御命令ＣＢＲに基づいて開閉動作を行い、バックライト３０から射出し表示部２０を透過した光を透過または遮断する。
【００５４】
（立体視表示の詳細動作）
次に、いくつかの図を参照して、立体視表示を行う場合の詳細動作を説明する。
【００５５】
図１１は、表示部２０およびバリア部１０の動作例を表すものであり、（Ａ）は、映像信号ＳＡが供給された場合を示し、（Ｂ）は映像信号ＳＢが供給された場合を示す。
【００５６】
映像信号ＳＡが供給された場合には、図１１（Ａ）に示したように、表示部２０の画素Ｐixのそれぞれは、映像信号ＳＡに含まれる４つの視点映像のそれぞれに対応する画素情報Ｐ１〜Ｐ４を表示する。このとき、画素情報Ｐ１〜Ｐ４は、液晶バリア１２Ａ付近に配置された画素Ｐixにそれぞれ表示される。映像信号ＳＡが供給された場合には、バリア部１０では、液晶バリア１２Ａが開状態（透過状態）になるとともに、液晶バリア１２Ｂが閉状態（遮断状態）になるように制御されている。表示部２０の各画素Ｐixから出た光は、液晶バリア１２Ａによりそれぞれ角度が制限されて出力される。観察者は、例えば左眼で画素情報Ｐ２を、右眼で画素情報Ｐ３を見ることにより、立体的な映像を見ることができる。
【００５７】
映像信号ＳＢが供給された場合には、図１１（Ｂ）に示したように、表示部２０の画素Ｐixのそれぞれは、映像信号ＳＢに含まれる４つの視点映像のそれぞれに対応する画素情報Ｐ１〜Ｐ４を表示する。このとき、画素情報Ｐ１〜Ｐ４は、液晶バリア１２Ｂ付近に配置された画素Ｐixにそれぞれ表示される。映像信号ＳＢが供給された場合には、バリア部１０では、液晶バリア１２Ｂが開状態（透過状態）になるとともに、液晶バリア１２Ａが閉状態（遮断状態）になるように制御されている。表示部２０の各画素Ｐixから出た光は、液晶バリア１２Ｂによりそれぞれ角度が制限されて出力される。観察者は、例えば左眼で画素情報Ｐ２を、右眼で画素情報Ｐ３を見ることにより、立体的な映像を見ることができる。
【００５８】
このように、観察者は、左眼と右眼とで、画素情報Ｐ１〜Ｐ４のうちの異なる画素情報を見ることとなり、観察者は立体的な映像として感じることができる。また、液晶バリア１２Ａと液晶バリア１２Ｂを時分割的に交互に開放して映像を表示することにより、観察者は、互いにずれた位置に表示される映像を平均化して見ることとなる。よって、立体表示装置１は、液晶バリア１２Ａのみをもつ場合に比べ、２倍の解像度を実現することが可能となる。言い換えれば、立体表示装置１の解像度は、２次元表示の場合に比べ１／３（＝１／６×２）で済むこととなる。
【００５９】
立体表示装置１では、液晶バリア１１，１２の応答時間を短くするために、バリア駆動部４１は、液晶バリア１１，１２に対して、バリア駆動信号ＤＲＶとして準備駆動波形部分Ｗpreを供給する。具体的には、バリア駆動部４１は、電源起動後や、立体視表示と通常表示（２次元表示）との間での表示モード切り換えの際に、液晶バリア１１，１２に対して、バリア駆動信号ＤＲＶとして準備駆動波形部分Ｗpreを供給する。次に、いくつかの例を参照して、立体表示装置１における表示動作を説明する。
【００６０】
まず、立体視表示の表示モードでの電源起動の例を説明する。
【００６１】
図１２は、電源起動後における立体視表示動作のタイミング図を表すものであり、（Ａ）は表示部２０の動作を示し、（Ｂ）はバックライト３０の動作を示し、（Ｃ）はバリア駆動信号ＤＲＶＡの波形を示し、（Ｄ）は液晶バリア１２Ａにおける光の透過率Ｔを示し、（Ｅ）はバリア駆動信号ＤＲＶＢの波形を示し、（Ｆ）は液晶バリア１２Ｂにおける光の透過率Ｔを示す。なお、この例では、バリア駆動信号ＤＲＶＳは０Ｖであり、液晶バリア１１は閉状態（遮断状態）である。
【００６２】
図１２（Ａ）の縦軸は、表示部２０の線順次走査方向（Ｙ方向）の位置を示している。つまり、図１２（Ａ）は、ある時刻の、Ｙ方向における各位置での表示部２０の動作状態を示している。図１２（Ａ）において、“ＳＡ”は表示部２０が映像信号ＳＡに基づく表示を行っている状態を示し、“ＳＢ”は表示部２０が映像信号ＳＢに基づく表示を行っている状態を示している。
【００６３】
立体表示装置１は、電源起動後において、タイミングｔ０からｔ１の期間において、立体視表示動作の準備を行い、タイミングｔ１以降に、バックライト３０、表示部２０、バリア部１０が同期して動作することにより、立体視表示動作を開始する。以下に、その詳細を説明する。
【００６４】
まず、タイミングｔ０からｔ１の期間において、バリア駆動部４１は、液晶バリア１２Ａに対して、バリア駆動信号ＤＲＶＡとして準備駆動波形部分Ｗpreを供給するとともに（図１２（Ｃ））、液晶バリア１２Ｂに対して、バリア駆動信号ＤＲＶＢとして準備駆動波形部分Ｗpreを供給する（図１２（Ｅ））。これにより、液晶バリア１２（１２Ａ，１２Ｂ）の液晶層１９では、液晶分子Ｍの長軸方向が、基板面の垂直方向から傾いた方向に配向する。このとき、液晶バリア１２における光の透過率Ｔは、十分に低い状態を維持する（図１２（Ｄ），（Ｆ））。
【００６５】
その後、タイミングｔ１以降において、立体視表示動作が開始する。この立体視表示動作では、走査周期Ｔ１で行われる線順次走査により、液晶バリア１２Ａにおける表示（映像信号ＳＡに基づく表示）と液晶バリア１２Ｂにおける表示（映像信号ＳＢに基づく表示）とを時分割的に行う。そして、表示周期Ｔ０ごとにこれらの表示を繰り返す。ここで、表示周期Ｔ０は、例えば、１６．７［msec］（６０［Ｈｚ］の一周期分）にすることが可能である。この場合、走査周期Ｔ１は、４．２［msec］（表示周期Ｔ０の４分の１）である。
【００６６】
まず、タイミングｔ１〜ｔ２の期間において、表示部２０では、表示駆動部５０から供給される駆動信号に基づき、最上部から最下部に向かって線順次走査が行われ、映像信号ＳＡに基づく表示が行われる（図１２（Ａ））。バリア駆動部４１は、バリア駆動信号ＤＲＶＡとして、電圧Ｖｏを液晶バリア１２Ａに印加する（図１２（Ｃ））。これにより、バリア部１０では、液晶バリア１２Ａの光の透過率Ｔが上昇する（図１２（Ｄ））。その際、液晶バリア１２Ａの液晶層１９では、前段階において、液晶分子Ｍの長軸方向が、基板面の垂直方向から傾いた方向に配向しているため、この電圧Ｖｏの印加によって素早く倒れ、光の透過率Ｔは素早く上昇する。
【００６７】
そして、タイミングｔ２〜ｔ３の期間において、表示部２０では、表示駆動部５０から供給される駆動信号に基づき、最上部から最下部に向かって線順次走査が行われ、映像信号ＳＡに基づく表示が再度行われる（図１２（Ａ））。すなわち、表示部２０では、映像信号ＳＡに基づく同じフレーム画像が２回繰り返して表示される。バリア部１０では、液晶バリア１２Ａの光の透過率Ｔが十分に高くなって開状態となる（図１２（Ｄ））。そして、バックライト３０は、このタイミングｔ２〜ｔ３の期間において点灯（ＯＮ）する（図１２（Ｂ））。これにより、観察者は、タイミングｔ２〜ｔ３の期間において、表示部２０の映像信号ＳＡに基づく表示を見ることができる。また、液晶バリア１２Ｂにおける光の透過率Ｔが十分に低いため、映像信号ＳＡ，ＳＢに基づく表示が混ざりにくくなり、いわゆるクロストークによる画質劣化を低減することができる。
【００６８】
次に、タイミングｔ３〜ｔ４の期間において、表示部２０では、表示駆動部５０から供給される駆動信号に基づき、最上部から最下部に向かって線順次走査が行われ、映像信号ＳＢに基づく表示が行われる（図１２（Ａ））。バリア駆動部４１は、バリア駆動信号ＤＲＶＡとして、０Ｖを液晶バリア１２Ａに印加するとともに（図１２（Ｃ））、バリア駆動信号ＤＲＶＢとして、電圧Ｖｏを液晶バリア１２Ｂに印加する（図１２（Ｅ））。これにより、バリア部１０では、液晶バリア１２Ａの光の透過率Ｔが低下するとともに（図１２（Ｄ））、液晶バリア１２Ｂの光の透過率Ｔが上昇する（図１２（Ｆ））。その際、液晶バリア１２Ｂの液晶層１９では、前段階において、液晶分子Ｍの長軸方向が、基板面の垂直方向から傾いた方向に配向しているため、この電圧Ｖｏの印加によって素早く倒れ、光の透過率Ｔは素早く上昇する。バックライト３０は、このタイミングｔ３〜ｔ４の期間において消灯する（図１２（Ｂ））。これにより、観察者は、表示部２０における、映像信号ＳＡに基づく表示から映像信号ＳＢに基づく表示への過渡的な変化、および液晶バリア１２における光の透過率Ｔの過渡的な変化を見ることがないので、画質劣化を低減することができる。
【００６９】
そして、タイミングｔ４〜ｔ５の期間において、表示部２０では、表示駆動部５０から供給される駆動信号に基づき、最上部から最下部に向かって線順次走査が行われ、映像信号ＳＢに基づく表示が再度行われる（図１２（Ａ））。すなわち、表示部２０では、映像信号ＳＢに基づく同じフレーム画像が２回繰り返して表示される。バリア部１０では、液晶バリア１２Ａの光の透過率Ｔが十分に低くなって閉状態になるとともに（図１２（Ｄ））、液晶バリア１２Ｂの光の透過率Ｔが十分に高くなって開状態となる（図１２（Ｆ））。そして、バックライト３０は、このタイミングｔ４〜ｔ５の期間において点灯（ＯＮ）する（図１２（Ｂ））。これにより、観察者は、タイミングｔ２〜ｔ３の期間において、表示部２０の映像信号ＳＢに基づく表示を見ることができる。また、液晶バリア１２Ａにおける光の透過率Ｔが十分に低いため、映像信号ＳＡ，ＳＢに基づく表示が混ざりにくくなり、いわゆるクロストークによる画質劣化を低減することができる。
【００７０】
次に、タイミングｔ５〜ｔ６の期間において、表示部２０では、タイミングｔ１〜ｔ２の期間と同様に、映像信号ＳＡに基づく表示が行われる（図１２（Ａ））。バリア駆動部４１は、バリア駆動信号ＤＲＶＡとして、電圧（−Ｖｏ）を液晶バリア１２Ａに印加するとともに、バリア駆動信号ＤＲＶＢとして、０Ｖを液晶バリア１２Ｂに印加する（図１２（Ｃ），（Ｅ））。これにより、バリア部１０では、液晶バリア１２Ａの光の透過率Ｔが上昇するとともに、液晶バリア１２Ｂの光の透過率Ｔが低下する（図１２（Ｄ），（Ｆ））。その際、液晶バリア１２Ａの液晶層１９では、タイミングｔ５において、液晶分子Ｍの長軸方向は、基板面の垂直方向には完全には戻っておらず、その垂直方向からやや傾いた方向（ある方位角の方向）に配向しているため、液晶分子Ｍは、電圧（−Ｖｏ）の印加によってこの方位角の方向から素早く倒れ、光の透過率Ｔは素早く上昇する。バックライト３０は、このタイミングｔ５〜ｔ６の期間において消灯する（図１２（Ｂ））。
【００７１】
そして、タイミングｔ６〜ｔ７の期間において、表示部２０では、タイミングｔ２〜ｔ３の期間と同様に、映像信号ＳＡに基づく表示が再度行われる（図１２（Ａ））。バリア部１０では、液晶バリア１２Ａの光の透過率Ｔが十分に高くなって開状態になるとともに、液晶バリア１２Ｂの光の透過率Ｔが十分に低くなって閉状態となる（図１２（Ｄ），（Ｆ））。そして、バックライト３０は、このタイミングｔ６〜ｔ７の期間において点灯（ＯＮ）する（図１２（Ｂ））。
【００７２】
次に、タイミングｔ７〜ｔ８の期間において、表示部２０では、タイミングｔ３〜ｔ４の期間と同様に、映像信号ＳＢに基づく表示が行われる（図１２（Ａ））。バリア駆動部４１は、バリア駆動信号ＤＲＶＡとして、０Ｖを液晶バリア１２Ａに印加するとともに、バリア駆動信号ＤＲＶＢとして、電圧（−Ｖｏ）を液晶バリア１２Ｂに印加する（図１２（Ｃ），（Ｅ））。これにより、バリア部１０では、液晶バリア１２Ａの光の透過率Ｔが低下するとともに、液晶バリア１２Ｂの光の透過率Ｔが上昇する（図１２（Ｄ），（Ｆ））。その際、液晶バリア１２Ｂの液晶層１９では、タイミングｔ７において、液晶分子Ｍの長軸方向が、基板面の垂直方向に完全には戻っておらず、その垂直方向からやや傾いた方向（ある方位角の方向）に配向しているため、液晶分子Ｍは、電圧（−Ｖｏ）の印加によってこの方位角の方向から素早く倒れ、光の透過率Ｔは素早く上昇する。バックライト３０は、このタイミングｔ７〜ｔ８の期間において消灯する（図１２（Ｂ））。
【００７３】
そして、タイミングｔ８〜ｔ９の期間において、表示部２０では、タイミングｔ４〜ｔ５の期間と同様に、映像信号ＳＢに基づく表示が再度行われる（図１２（Ａ））。バリア部１０では、液晶バリア１２Ａの光の透過率Ｔが十分に低くなって閉状態になるとともに、液晶バリア１２Ｂの光の透過率Ｔが十分に高くなって開状態となる（図１２（Ｄ），（Ｆ））。そして、バックライト３０は、このタイミングｔ８〜ｔ９の期間において点灯（ＯＮ）する（図１２（Ｂ））。
【００７４】
以後、上述したタイミングｔ１〜ｔ９の期間の動作を繰り返すことにより、立体表示装置１は、映像信号ＳＡに基づく表示（液晶バリア１２Ａにおける表示）と、映像信号ＳＢに基づく表示（液晶バリア１２Ｂにおける表示）とを交互に繰り返して行う。
【００７５】
次に、通常表示（２次元表示）の表示モードでの電源起動の例を説明する。
【００７６】
図１３は、電源起動後における通常表示動作のタイミング図を表すものであり、（Ａ）は表示部２０の動作を示し、（Ｂ）はバックライト３０の動作を示し、（Ｃ）はバリア駆動信号ＤＲＶＳの波形を示し、（Ｄ）は液晶バリア１１における光の透過率Ｔを示し、（Ｅ）はバリア駆動信号ＤＲＶＡの波形を示し、（Ｆ）は液晶バリア１２Ａにおける光の透過率Ｔを示し、（Ｇ）はバリア駆動信号ＤＲＶＢの波形を示し、（Ｈ）は液晶バリア１２Ｂにおける光の透過率Ｔを示す。
【００７７】
立体表示装置１は、電源起動後において、タイミングｔ２０からｔ２１の期間において、通常表示動作の準備を行い、タイミングｔ２１以降に、表示部２０、バリア部１０が同期して動作することにより、通常表示動作を開始する。以下に、その詳細を説明する。
【００７８】
まず、タイミングｔ２０〜ｔ２１の期間において、バリア駆動部４１は、液晶バリア１１，１２に対して、バリア駆動信号ＤＲＶとして準備駆動波形部分Ｗpreを供給する。具体的には、バリア駆動部４１は、液晶バリア１１に対して、バリア駆動信号ＤＲＶＳとして準備駆動波形部分Ｗpreを供給し（図１３（Ｃ））、液晶バリア１２Ａに対して、バリア駆動信号ＤＲＶＡとして準備駆動波形部分Ｗpreを供給し（図１３（Ｅ））、液晶バリア１２Ｂに対して、バリア駆動信号ＤＲＶＢとして準備駆動波形部分Ｗpreを供給する（図１３（Ｇ））。これにより、液晶バリア１１，１２（１２Ａ，１２Ｂ）の液晶層１９では、液晶分子Ｍの長軸方向が、基板面の垂直方向から傾いた方向に配向する。このとき、液晶バリア１１，１２における光の透過率Ｔは、十分に低い状態を維持する（図１３（Ｄ），（Ｆ），（Ｇ））。
【００７９】
その後、タイミングｔ２１以降において、通常表示動作が開始する。具体的には、バリア駆動部４１が、液晶バリア１１，１２に対して、バリア駆動信号ＤＲＶとして開駆動波形部分Ｗｏを供給することにより、液晶バリア１１，１２が開状態になり、観察者が、これらの液晶バリア１１，１２を介して表示部２０の表示を観察する。
【００８０】
まず、タイミングｔ２１〜ｔ２２の期間において、表示部２０では、表示駆動部５０から供給される駆動信号に基づき、最上部から最下部に向かって線順次走査が行われ、映像信号ＳＳに基づく表示が行われる（図１３（Ａ））。バリア駆動部４１は、バリア駆動信号ＤＲＶＳとして、電圧Ｖｏを液晶バリア１１に印加し、バリア駆動信号ＤＲＶＡとして、電圧Ｖｏを液晶バリア１２Ａに印加し、バリア駆動信号ＤＲＶＢとして、電圧Ｖｏを液晶バリア１２Ｂに印加する（図１３（Ｃ），（Ｅ），（Ｇ））。これにより、バリア部１０では、液晶バリア１１，１２（１２Ａ，１２Ｂ）の光の透過率Ｔが上昇する（図１３（Ｄ），（Ｆ），（Ｈ））。その際、液晶バリア１１，１２の液晶層１９では、前段階において、液晶分子Ｍの長軸方向が、基板面の垂直方向から傾いた方向に配向しているため、この電圧Ｖｏの印加によって素早く倒れ、光の透過率Ｔは素早く上昇する。そして、バックライト３０は、タイミングｔ２１以降、点灯（ＯＮ）する（図１３（Ｂ））。
【００８１】
そして、タイミングｔ２２〜ｔ２３の期間において、表示部２０では、映像信号ＳＳに基づく表示が再度行われる（図１３（Ａ））。すなわち、立体表示装置１では、同じフレーム画像が２回繰り返して表示される。バリア部１０では、液晶バリア１１，１２の光の透過率Ｔが十分に高くなって開状態となる（図１３（Ｄ），（Ｆ），（Ｈ））。これにより、観察者は、表示部２０の映像信号ＳＳに基づく表示を見ることができる。
【００８２】
次に、タイミングｔ２３〜ｔ２４の期間において、表示部２０では、映像信号ＳＳに基づく次のフレーム画像の表示が行われる（図１３（Ａ））。バリア駆動部４１は、バリア駆動信号ＤＲＶＳとして、電圧（−Ｖｏ）を液晶バリア１１に印加し、バリア駆動信号ＤＲＶＡとして、電圧（−Ｖｏ）を液晶バリア１２Ａに印加し、バリア駆動信号ＤＲＶＢとして、電圧（−Ｖｏ）を液晶バリア１２Ｂに印加する（図１３（Ｃ），（Ｅ），（Ｇ））。バリア部１０では、液晶バリア１１，１２（１２Ａ，１２Ｂ）の光の透過率Ｔが高いまま維持される。そして、タイミングｔ２４〜ｔ２５の期間において、表示部２０では、映像信号ＳＳに基づく表示が再度行われる（図１３（Ａ））。このように、液晶バリア１１，１２の光の透過率Ｔが高いまま維持されるため、観察者は、表示部２０の映像信号ＳＳに基づく表示を見ることができる。
【００８３】
以後、上述したタイミングｔ２１〜ｔ２５の期間の動作を繰り返すことにより、立体表示装置１は、映像信号ＳＳに基づく表示を行う。
【００８４】
次に、立体視表示の表示モードから、通常表示（２次元表示）の表示モードにモードを切り換える場合の例を説明する。
【００８５】
図１４は、表示モード切り換え時における表示動作のタイミング図を表すものであり、（Ａ）は表示部２０の動作を示し、（Ｂ）はバックライト３０の動作を示し、（Ｃ）はバリア駆動信号ＤＲＶＳの波形を示し、（Ｄ）は液晶バリア１１における光の透過率Ｔを示し、（Ｅ）はバリア駆動信号ＤＲＶＡの波形を示し、（Ｆ）は液晶バリア１２Ａにおける光の透過率Ｔを示し、（Ｇ）はバリア駆動信号ＤＲＶＢの波形を示し、（Ｈ）は液晶バリア１２Ｂにおける光の透過率Ｔを示す。
【００８６】
立体表示装置１では、例えば、ユーザからの指示に基づいて立体視表示から通常表示（２次元表示）へ表示モードを切り換える際、タイミングｔ３１〜ｔ３２の期間において、通常表示の準備を行った後に、タイミングｔ３２から、通常表示（２次元表示）を開始する。以下に、その詳細を説明する。
【００８７】
まず、タイミングｔ３１において、バリア駆動部４１は、液晶バリア１１に対して、バリア駆動信号ＤＲＶＳとして準備駆動波形部分Ｗpreを供給する（図１４（Ｃ））。これにより、液晶バリア１１の液晶層１９では、液晶分子Ｍの長軸方向が、基板面の垂直方向から傾いた方向に配向する。このとき、液晶バリア１１における光の透過率Ｔは、十分に低い状態を維持する（図１４（Ｄ））。
【００８８】
次に、タイミングｔ３２において、立体表示装置１は、立体視表示から通常表示に表示モードを切り換える。具体的には、まず、表示部２０では、映像信号ＳＡ，ＳＢに基づく表示から映像信号ＳＳに基づく表示へ、表示が切り換わる（図１４（Ａ））。そして、バリア駆動部４１は、バリア駆動信号ＤＲＶＳとして、電圧Ｖｏを液晶バリア１１に印加し、バリア駆動信号ＤＲＶＡとして、電圧Ｖｏを液晶バリア１２Ａに印加し、バリア駆動信号ＤＲＶＢとして、電圧Ｖｏを液晶バリア１２Ｂに印加する（図１４（Ｃ），（Ｅ），（Ｇ））。これにより、バリア部１０では、液晶バリア１１，１２（１２Ａ，１２Ｂ）の光の透過率Ｔが上昇する（図１４（Ｄ），（Ｆ），（Ｈ））。その際、液晶バリア１１の液晶層１９では、前段階において、液晶分子Ｍの長軸方向が、基板面の垂直方向から傾いた方向に配向しているため、この電圧Ｖｏの印加によって素早く倒れ、光の透過率Ｔは素早く上昇する。
【００８９】
このように、立体表示装置１では、液晶バリア１１，１２を開閉動作状態もしくは開状態にする前に、液晶バリア１１，１２に対して、バリア駆動信号ＤＲＶとして準備駆動波形部分Ｗpreを印加するようにしたので、液晶バリア１１，１２の応答時間を短くすることができる。
【００９０】
（比較例）
次に、比較例と対比して、本実施の形態の作用を説明する。本比較例に係る立体表示装置１Ｒは、液晶バリア１１，１２を開閉動作状態もしくは開状態にする前に、液晶バリア１１，１２に対して、バリア駆動信号ＤＲＶとして準備駆動波形部分Ｗpreを印加しないバリア駆動部４１Ｒを用いて構成したものである。その他の構成は、本実施の形態（図１）と同様である。
【００９１】
図１５は、立体表示装置１Ｒに係る、電源起動後における立体視表示動作のタイミング図を表すものであり、（Ａ）は表示部２０の動作を示し、（Ｂ）はバックライト３０の動作を示し、（Ｃ）はバリア駆動信号ＤＲＶＡの波形を示し、（Ｄ）は液晶バリア１２Ａにおける光の透過率Ｔを示し、（Ｅ）はバリア駆動信号ＤＲＶＢの波形を示し、（Ｆ）は液晶バリア１２Ｂにおける光の透過率Ｔを示す。すなわち、この図１５は、本実施の形態の立体表示装置１に係るタイミング図（図１２）に対応するものである。
【００９２】
本比較例に係る立体表示装置１Ｒでは、バリア駆動部４１Ｒは、立体表示装置１の場合（図１２）とは異なり、電源起動後に、液晶バリア１２に対して準備駆動波形部分Ｗpreを印加することなく、開閉駆動波形部分Ｗｏｃを印加する。このとき、液晶バリア１２の各液晶分子Ｍは、印加された電圧に応じて素早く倒れることができないため、液晶バリア１２における光の透過率Ｔは素早く上昇することができない。また、各液晶分子Ｍは、配向方向が乱れたまま、印加された電圧に応答しようとするため、透過率Ｔを、開状態における所望の透過率Ｔopenにまで十分に高くすることができない。
【００９３】
一方、本実施の形態に係る立体表示装置１では、バリア駆動部４１は、液晶バリア１２に対して準備駆動波形部分Ｗpreを印加した後に、開閉駆動波形部分Ｗｏｃを印加する。これにより、液晶バリア１２の液晶層１９では、液晶分子Ｍは、配向方向（方位角）が揃った後で開閉駆動波形部分Ｗｏｃとして印加された電圧に応じて素早く倒れることができ、より短い応答時間で応答するとともに、開状態においてより高い透過率Ｔを実現することができる。
【００９４】
なお、この例では、立体視表示の表示モードでの電源起動を例に説明したが、通常表示（２次元表示）の表示モードでの電源起動や、表示モードの切り換えでも同様であり、本実施の形態に係る立体表示装置１では、液晶バリア１１，１２の応答時間を短くすることができる。
【００９５】
［効果］
以上のように本実施の形態では、準備駆動波形部分を設けるようにしたので、その後に開駆動波形部分もしくは開閉駆動波形部分が印加された場合における液晶バリアの応答時間を短くすることができる。さらに、この準備駆動波形部分により、液晶分子の配向方向の乱れを低減することができるので、液晶バリアが開状態になったときの透過率をより高くすることができる。
【００９６】
また、本実施の形態では、準備駆動波形部分を印加することにより液晶分子を基板面の垂直方向から傾けるようにしたので、ＰＳＡなどによりあらかじめプレチルトを設ける場合に比べて、製造工程をよりシンプルにすることができる。
【００９７】
また、本実施の形態では、プレチルトを設けないようにしたので、コントラストを高めることができる。すなわち、プレチルトを設けた場合には、液晶層１９の両側の電位差が０Ｖである場合でも、液晶分子の長軸方向が基板面の垂直方向からややずれた向きに配向しているため、若干光を透過するおそれがあり、この場合にはコントラストが低下してしまう。一方、本実施の形態では、プレチルトを設けないようにしたので、コントラストを高めることができる。
【００９８】
また、本実施の形態では、プレチルトを設けずに準備駆動波形部分を設けるようにしたので、液晶分子の応答時間を短くすることができる。すなわち、一般にプレチルトを設けた場合には、液晶分子には、そのプレチルトの方向に配向させるための力がかかることとなり、電圧印加に対する応答時間が長くなるおそれがある。一方、本実施の形態では、このプレチルトを設けずに、準備駆動波形部分を印加することにより液晶分子の配向方向をそろえるようにしたので、液晶分子の応答時間を短くすることができる。
【００９９】
［変形例１］
上記実施の形態では、準備駆動波形部分Ｗpreは、プレ電圧Ｖpreを有する直流波形としたが、これに限定されるものではなく、上記実施の形態で示した図１６（Ａ）の他、例えば、図１６（Ｂ）〜（Ｇ）に示した波形であってもよい。例えば、図１６（Ｂ）に示したように、図１６（Ａ）における準備駆動波形部分Ｗpre全体を反転させてもよいし、図１６（Ｃ）に示したように、０Ｖから複数回（この例では２回）にわたって段階的に上昇するパルス波形であってもよいし、図１６（Ｄ）に示したように、図１６（Ｃ）における準備駆動波形部分Ｗpreのうちの一部（この例では後半部分）を反転させてもよい。また、例えば、図１６（Ｅ），（Ｆ）に示したように、電圧Ｖｏと０Ｖとの間で遷移する矩形波形であってもよい。この場合、実際に液晶層１９に印加される実効的な電圧Ｖeffを、図１６（Ｅ），（Ｆ）に示したように、その矩形波形のデューティ比によって設定することができる。また、図１６（Ｇ）に示したように、その矩形波形の周期を途中で変化させてもよい。
【０１００】
また、準備駆動波形部分Ｗpreは、例えば図１７（Ａ）〜（Ｃ）に示したように、その平均電圧が０Ｖ（共通電圧Ｖcom）と等しくなるようにしてもよい。具体的には、例えば、図１７（Ａ）に示したように、図１６（Ａ）における準備駆動波形部分Ｗpreのうちの半分（この例では後半の半分）を反転してもよいし、図１７（Ｂ）に示したように、図１６（Ｃ）における準備駆動波形部分Ｗpreの各段を、途中で反転してもよい。また、例えば、図１７（Ｃ）に示したように、図１６（Ｅ）における準備駆動波形Ｗpreのうちの半分（この例では後半の半分）を反転してもよい。このように、準備駆動波形部分Ｗpreのうちの一部を反転して、その平均電圧を０Ｖ（共通電圧Ｖcom）と等しくすることにより、液晶層１９のいわゆる焼きつきの影響を低減することができる。
【０１０１】
［変形例２］
また、上記実施の形態では、準備駆動波形部分Ｗpreは同じ波形パターンとしたが、これに限定されるものではなく、例えば、図１８に示したように、液晶バリア１１，１２に対して準備駆動波形部分Ｗpreを印加するたびに、その極性を反転させるようにしてもよい。この例では、立体視表示の表示モードと、通常表示（２次元表示）の表示モードとの間で、複数回表示モードの切り換えをしている。立体視表示から通常表示に表示モードを切り換える際、バリア駆動部４１は、図１４の場合と同様に、液晶バリア１１に対してバリア駆動信号ＤＲＶＳとして準備駆動波形部分Ｗpreを供給する。このとき、準備駆動波形部分Ｗpreは、立体視表示から通常表示に表示モードを切り換えるたびに極性反転する。すなわち、本変形例に係るバリア駆動部は、液晶バリア１１に対して、正のプレ電圧Ｖpreを準備駆動波形部分Ｗpreとして印加した場合には、次に準備駆動波形部分Ｗpreを印加する際には、負のプレ電圧Ｖpreを印加する。これにより、液晶層１９のいわゆる焼きつきの影響を低減することができる。なお、ここでは、表示モードを切り換えるたびに極性反転する例を説明したが、これに限定されるものではなく、例えば、電源起動のたびに極性反転するようにしてもよい。
【０１０２】
［変形例３］
また、上記実施の形態等では、同じフレーム画像を２回ずつ繰り返して表示したが、これに限定するものではなく、これに代えて、例えば、図１９に示したように、黒画像とフレーム画像とを交互に表示してもよい。ここで、図１９（Ａ）における“Ｂ”は、黒画像表示を行っている状態を示している。本変形例に係る立体表示装置１Ｂでは、表示部２０Ｂは、黒画像Ｂと、映像信号ＳＡ，ＳＢに基づくフレーム画像とを交互に表示する。具体的には、表示部２０Ｂは、黒画像の表示と、映像信号ＳＡに基づく表示と、黒画像の表示と、映像信号ＳＢに基づく表示とを、この順番で繰り返して行う。そして、バックライト３０は、表示部２０Ｂが、映像信号ＳＡ，ＳＢに基づくフレーム画像を表示している期間に対応する期間において点灯する。なお、ここでは、立体視表示動作を例に説明したが、同様に、通常表示動作において、黒画像とフレーム画像とを交互に表示してもよい。
【０１０３】
［変形例４］
また、上記実施の形態等では、立体視表示において、バリア駆動部４１は、液晶バリア１２（１２Ａ，１２Ｂ）に対して、電圧Ｖｏあるいは電圧（−Ｖo）のいずれかを供給することにより、液晶バリア１２を開状態にしたが、これに限定されるものではなく、これに代えて、例えば、図２０に示したように、電圧Ｖｏと電圧（−Ｖo）の間で変化するパルスを供給することにより、液晶バリア１２を開状態にしてもよい。
【０１０４】
［変形例５］
また、上記実施の形態等では、立体視表示において、液晶バリア１２が時分割的に開閉動作したが、これに限定されるものではなく、これに代えて、例えば、液晶バリア１２が時分割的な開閉動作を行わず、常に開状態にしてもよい。以下に、その詳細を示す。
【０１０５】
図２１は、本変形例に係る立体表示装置１Ｃにおける立体視表示の動作例を表すものである。立体表示装置１Ｃのバリア部１０Ｃでは、この例では、３つの液晶バリア１１と１つの液晶バリア１２とが、交互に並んでいる。そして立体視表示を行う場合には、液晶バリア１２が開状態となり、液晶バリア１１が閉状態となる。表示駆動部５０には、制御部４０から立体視表示のための映像信号ＳＴが供給される。そして、表示部２０は、その映像信号ＳＴに基づいて、液晶バリア１２に対応する位置に画素情報Ｐ１〜Ｐ４を表示する。
【０１０６】
図２２は、立体表示装置１Ｃの、電源起動後における立体視表示動作のタイミング図を表すものであり、（Ａ）は本変形例に係る表示部２０の動作を示し、（Ｂ）はバックライト３０の動作を示し、（Ｃ）は液晶バリア１２を駆動するためのバリア駆動信号ＤＲＶＴの波形を示し、（Ｄ）は液晶バリア１２における光の透過率Ｔを示す。なお、この例では、バリア駆動信号ＤＲＶＳは０Ｖであり、液晶バリア１１は閉状態（遮断状態）である。この例では、タイミングｔ６０〜ｔ６１の期間において、バリア駆動部４１が、液晶バリア１２に対して、準備駆動波形部分Ｗpreをバリア駆動信号ＤＲＶＴとして供給する。そして、タイミングｔ６１以降において、バリア駆動部４１が、液晶バリア１２に対して開駆動波形部分Ｗｏをバリア駆動信号ＤＲＶＴとして供給する。
【０１０７】
［変形例６］
また、上記実施の形態等では、液晶バリア１１，１２は、垂直方向Ｙから所定の角度θをなす方向に延伸するように形成したが、これに限定されるものではなく、これに代えて、例えば、垂直方向Ｙに延伸するように形成してもよい。この場合には、透明電極１１０Ｄ，１２０Ｄは、図２３に示したように、液晶バリア１１，１２の延伸方向と同じ垂直方向Ｙに延伸するように形成される。
【０１０８】
［変形例７］
また、上記実施の形態等では、バックライト３０、表示部２０、バリア部１０は、この順に配置したが、これに限定されるものではなく、これに代えて、図２４に示したように、バックライト３０、バリア部１０、表示部２０の順に配置してもよい。
【０１０９】
図２５は、本変形例に係る表示部２０およびバリア部１０の動作例を表すものであり、（Ａ）は、映像信号ＳＡが供給された場合を示し、（Ｂ）は映像信号ＳＢが供給された場合を示す。本変形例では、バックライト３０から射出した光は、まずバリア部１０に入射する。そして、その光のうち、液晶バリア１２Ａ，１２Ｂを透過した光が表示部２０において変調されるとともに、４つの視点映像を出力するようになっている。
【０１１０】
［変形例８］
上記実施の形態等では、バックライト３０は、面発光を行うようにしたが、これに限定されるものではなく、これに代えて、例えば、垂直方向Ｙに分割された複数のサブ発光部を有するバックライトを用い、表示部２０における表示走査に同期して各サブ発光部を時分割的に発光させるようにしてもよい。
【０１１１】
以上、実施の形態および変形例を挙げて本技術を説明したが、本技術はこれらの実施の形態等には限定されず、種々の変形が可能である。
【０１１２】
例えば、上記実施の形態等では、立体視表示の表示モードでの電源起動の際、図１２等に示したように、バリア駆動部４１が、液晶バリア１２Ａ，１２Ｂの両方に対して同時に準備駆動波形部分Ｗpreを供給し始めたが、これに限定されるものではなく、これに代えて、例えば、その供給開始タイミングがずれていてもよい。同様に、通常表示（２次元表示）の表示モードでの電源起動の際、図１３等に示したように、バリア駆動部４１が、液晶バリア１１，１２（１２Ａ，１２Ｂ）に対して同時に準備駆動波形部分Ｗpreを供給し始めたが、これに限定されるものではなく、これに代えて、例えば、その供給開始タイミングがずれていてもよい。
【０１１３】
なお、本技術は以下のような構成とすることができる。
【０１１４】
（１）表示部と、
開状態と閉状態とを切り換え可能な複数の液晶バリアを含むバリア部と、
１または複数のバリア駆動信号により、前記バリア部を駆動するバリア駆動部と
を備え、
前記バリア駆動信号は、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分または前記第２の波形部分の直前に位置し、前記第１の波形部分または前記第２の波形部分の波高値の最大値よりも小さい平均波高値を有する第３の波形部分と
を含む信号である
表示装置。
【０１１５】
（２）３次元映像表示モードおよび２次元映像表示モードを含む複数の表示モードを有し、
前記バリア部は、複数の第１系列の液晶バリアと複数の第２系列の液晶バリアを有し、
前記バリア駆動部は、
前記２次元映像表示モードでは、前記第２系列の液晶バリアに前記第１の波形部分を供給し、
前記３次元映像表示モードでは、前記第２系列の液晶バリアに直流電圧を供給する
前記（１）に記載の表示装置。
【０１１６】
（３）前記３次元映像表示モードから前記２次元映像表示モードへのモード切り換えの直前に、前記２系列の液晶バリアに前記第３の波形部分を供給する
前記（２）に記載の表示装置。
【０１１７】
（４）前記バリア駆動部は、前記２次元映像表示モードでの起動時に、前記第２系列の液晶バリアに前記第３の波形部分を供給する
前記（２）または（３）に記載の表示装置。
【０１１８】
（５）前記複数の第１系列の液晶バリアは、複数のバリアグループにグループ分けされ、
前記バリア駆動部は、
前記２次元映像表示モードでは、前記第１系列の液晶バリアに前記第１の波形部分を供給し、
前記３次元映像表示モードでは、前記第１系列の液晶バリアに、グループ間で互いに位相がずれた前記第２の波形部分を供給する
前記（２）から（４）のいずれかに記載の表示装置。
【０１１９】
（６）前記バリア駆動部は、前記２次元映像表示モードおよび前記３次元映像表示モードでは、前記第１系列の液晶バリアに前記第１の波形部分を供給する
前記（２）から（４）のいずれかに記載の表示装置。
【０１２０】
（７）前記バリア駆動部は、起動時に、前記第１系列の液晶バリアに前記第３の波形部分を供給する
前記（２）から（６）のいずれかに記載の表示装置。
【０１２１】
（８）前記第３の波形部分は、前記直流電圧と異なる電圧を有する直流波形である
前記（２）から（７）のいずれかに記載の表示装置。
【０１２２】
（９）前記第３の波形部分は、パルス波形である
前記（２）から（７）のいずれかに記載の表示装置。
【０１２３】
（１０）前記第３の波形部分は、前記第１の波形部分もしくは前記第２の波形部分の波高値の最大値と等しい最大波高値を有する
前記（９）に記載の表示装置。
【０１２４】
（１１）前記第３の波形部分は、極性が交番する波形である
前記（２）から（７）のいずれかに記載の表示装置。
【０１２５】
（１２）前記第３の波形部分は、正電圧となる時間と負電圧となる時間とが互いに等しい
前記（１１）に記載の表示装置。
【０１２６】
（１３）前記バリア駆動部は、前記第３の波形部分を前記液晶バリアに印加する際、前回に印加した前記第３の波形部分を反転して印加する
前記（２）から（７）のいずれかに記載の表示装置。
【０１２７】
（１４）各液晶バリアは、第１の方向に延在するように形成され、液晶層と、前記第１の方向に並設された複数のサブ電極を含み、
各サブ電極は、
前記第１の方向に延伸する第１の幹部分と、
前記第１の幹部分と交差する方向に延伸する第２の幹部分と、
前記第１の幹部分および前記第２の幹部分の両方から遠ざかる方向に延伸する複数の枝部分と
を有し、
前記複数の枝部分は、
前記第１の幹部分の片側において、前記第２の幹部分を挟んで配置された第１の枝領域および第２の枝領域と、
前記第１の幹部分に対して、前記第１の枝領域の反対側に配置された第３の枝領域と、
前記第１の幹部分に対して、前記第２の枝領域の反対側に配置された第４の枝領域
の各領域内において、同じ方向に延伸している
前記（１）に記載の表示装置。
【０１２８】
（１５）前記液晶層の一方の側に設けられ、前記表示部の表示面内における垂直方向および水平方向のうちの一方の方向に偏光した光を通過させる第１の偏光板と、
前記液晶層の、前記第１の偏光板が設けられた側とは反対側に設けられ、前記垂直方向および前記水平方向のうちの他方の方向に偏光した光を通過させる第２の偏光板と
をさらに備え、
前記第１の枝領域における枝部分および前記第４の枝領域における枝部分は、前記水平方向から反時計まわりに４５度傾いた方向に延伸し、
前記第２の枝領域における枝部分および前記第３の枝領域における枝部分は、前記水平方向から時計まわりに４５度傾いた方向に延伸している
前記（１４）に記載の表示装置。
【０１２９】
（１６）前記バリア部は、
前記液晶層を挟んで前記サブ電極の反対側に、前記複数の液晶バリアに対応する領域にわたり共通に形成された共通電極を有する
前記（１４）に記載の表示装置。
【０１３０】
（１７）前記表示部は液晶表示部であり、
バックライトをさらに備え、
前記液晶表示部は、前記バックライトと前記バリア部との間に配置されている
前記（１）に記載の表示装置。
【０１３１】
（１８）前記表示部は液晶表示部であり、
バックライトをさらに備え、
前記バリア部は、前記バックライトと前記液晶表示部との間に配置されている
前記（１）に記載の表示装置。
【０１３２】
（１９）開状態と閉状態とを切り換え可能な複数の液晶バリアを含むバリア部と、
１または複数のバリア駆動信号により、前記バリア部を駆動するバリア駆動部と
を備え、
前記バリア駆動信号は、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分または前記第２の波形部分の直前に位置し、前記第１の波形部分または前記第２の波形部分の波高値の最大値よりも小さい平均波高値を有する第３の波形部分と
を含む信号である
バリア装置。
【０１３３】
（２０）開状態と閉状態とを切り換え可能な複数の液晶バリアに対して、
複数フレームにわたって、前記液晶バリアを開状態に保持するための一連の波形からなる第１の波形部分、または前記液晶バリアの開閉を切り換えるための一連の波形からなる第２の波形部分と、
前記第１の波形部分もしくは前記第２の波形部分の直前に位置し、前記第１の波形部分もしくは前記第２の波形部分の波高値の最大値よりも小さい平均波高値を有する第３の波形部分と
を含む、１または複数のバリア駆動信号を供給し、
表示部に映像を表示する
表示装置の駆動方法。
【符号の説明】
【０１３４】
１…立体表示装置、１０…バリア部、１１，１２，１２Ａ，１２Ｂ…液晶バリア、１３…透明基板、１４…偏光板、１５…透明電極層、１６…透明基板、１７…透明電極層、１８…偏光板、１９…液晶層、２０…表示部、３０…バックライト、４０…制御部、４１…バリア駆動部、４２…バックライト駆動部、５０…表示駆動部、５１…タイミング制御部、５２…ゲートドライバ、５３…データドライバ、６１，６２…幹部分、６３…枝部分、７０…サブ電極領域、７１〜７４…枝領域、１１０，１２０…透明電極、２０１…駆動基板、２０２…画素電極、２０３…液晶層、２０４…対向電極、２０５…対向基板、２０６ａ，２０６ｂ…偏光板、３１０…駆動基板、３２０…対向基板、Ａ，Ｂ…グループ、Ｃ…保持容量、ＣＢＬ…バックライト制御信号、ＣＢＲ…バリア制御信号、Ｃｓ…保持容量線、Ｄ…データ線、ＤＲＶ，ＤＲＶＡ，ＤＲＶＢ，ＤＲＶＳ…バリア駆動信号、Ｅ１，Ｅ２…幅、Ｇ…ゲート線、ＬＣ…液晶素子、Ｍ…液晶分子、Ｐ１〜Ｐ４…画素情報、Ｐ２Ｄ…通常表示期間、Ｐ３Ｄ…立体視表示期間、Ｐix…画素、Ｓ，Ｓ１，ＳＡ，ＳＢ，ＳＳ，Ｓdisp…映像信号、Ｔｒ…ＴＦＴ素子、Ｖcom…共通電圧、Ｖｏ…開駆動電圧、Ｖpre…プレ電圧、Ｗｏ…開駆動波形部分、Ｗoc…開閉駆動波形部分、Ｗpre…準備駆動波形部分、θ，φ…角度。
【図１】
2012242673.tif 000003
【図２】
2012242673.tif 000004
【図３】
2012242673.tif 000005
【図４】
2012242673.tif 000006
【図５】
2012242673.tif 000007
【図６】
2012242673.tif 000008
【図７】
2012242673.tif 000009
【図８】
2012242673.tif 000010
【図９】
2012242673.tif 000011
【図１０】
2012242673.tif 000012
【図１１】
2012242673.tif 000013
【図１２】
2012242673.tif 000014
【図１３】
2012242673.tif 000015
【図１４】
2012242673.tif 000016
【図１５】
2012242673.tif 000017
【図１６】
2012242673.tif 000018
【図１７】
2012242673.tif 000019
【図１８】
2012242673.tif 000020
【図１９】
2012242673.tif 000021
【図２０】
2012242673.tif 000022
【図２１】
2012242673.tif 000023
【図２２】
2012242673.tif 000024
【図２３】
2012242673.tif 000025
【図２４】
2012242673.tif 000026
【図２５】
2012242673.tif 000027